(57)【要約】【課題】  湯はり時に、確実に風呂往き通路と風呂戻り通路を利用することが可能な熱源装置を提供する。【解決手段】  熱源装置１では、第１流路切替弁７の制御において、全閉状態と全開状態との間の中間状態での開度調整が可能である。例えば、第１流路切替弁７内の弁体をステッピングモータで制御し、ステッピングモータのステップ数によって、全閉状態／中間状態／全開状態を制御する。中間状態において、弁体の開度を調整することで、第１流路切替弁７によって、一部が風呂戻り通路５ｃ側へ流れる流量Ｑ１と、風呂往き通路５ｂ側へ流れる流量Ｑ２の比率を調整することができる。すなわち、風呂戻り通路５ｃ側へ流れる液体の流量Ｑ戻りと、風呂往き通路５ｂ側へ流れる液体の流量Ｑ往きの比率を調整することができる。【選択図】図８
2018189294.tif 000002
【特許請求の範囲】
【請求項１】
浴槽に接続され、給湯熱交換器から浴槽へ給湯する浴槽給湯通路を具備する熱源装置であって、
前記浴槽給湯通路から風呂往き通路と風呂戻り通路への流向を制御可能な第１流路切替弁と、前記風呂往き通路に配置される風呂ポンプと、を具備し、
前記第１流路切替弁は、制御部によって、前記浴槽給湯通路と前記風呂往き通路とが流通する全閉状態と、前記浴槽給湯通路と前記風呂戻り通路とが流通する全開状態と、前記全開状態と前記全閉状態の間の中間状態と、を調整可能であり、
前記制御部は、前記第１流路切替弁の前記中間状態の開度を調整することで、前記風呂戻り通路への流量と、前記風呂往き通路への流量の比率を調整可能であることを特徴とする熱源装置。
【請求項２】
前記浴槽給湯通路と第２流路切替弁を介して接続され、少なくとも前記給湯熱交換器からのドレンを貯留するドレンタンクを具備し、
前記第２流路切替弁を前記ドレンタンク側に切り替えた状態において、前記第１流路切替弁を前記全閉状態とすることで、前記風呂ポンプによって前記ドレンタンク内のドレンを排出可能であり、
前記第２流路切替弁を前記浴槽給湯通路側に切り替えた状態において、前記第１流路切替弁を前記中間状態または前記全開状態とすることで、前記浴槽給湯通路からの液体を、前記風呂戻り通路と前記風呂往き通路とに流すことが可能であることを特徴とする請求項１記載の熱源装置。
【請求項３】
前記第１流路切替弁は、四方弁であり、前記全閉状態では、前記浴槽給湯通路と前記風呂往き通路が前記第１流路切替弁を介して流通し、前記全開状態では、前記浴槽給湯通路と前記風呂戻り通路が前記第１流路切替弁を介して流通するとともに、前記風呂戻り通路から分岐する短絡通路と前記風呂往き通路とが前記第１流路切替弁を介して流通することを特徴と請求項２記載の熱源装置。
【請求項４】
前記制御部は、前記風呂往き通路を流れる湯量を計測し、湯量が所定以下である場合には、前記第１流路切替弁の開度を補正し、前記風呂往き通路への流量を増加させることを特徴とする請求項３記載の熱源装置。
【請求項５】
前記制御部は、浴槽へ送られる湯の総流量を湯量センサで計測し、設定された流量を流すのに要した時間情報を取得し、新たに得られた前記時間情報と、あらかじめ記憶された過去の前記時間情報とを比較して、所定以上時間が長くなった場合には、前記第１流路切替弁の開度を補正し、前記風呂往き通路への流量を増加させることを特徴とする請求項３記載の熱源装置。
【請求項６】
前記制御部は、風呂はりの時刻情報を取得し、前記時間情報を前記時刻情報とともに記憶し、新たに得られた前記時間情報と、同一の時刻範囲内における過去の前記時間情報とを比較して、所定以上時間が長くなった場合には、前記第１流路切替弁の開度を補正し、前記風呂往き通路への流量を増加させることを特徴とする請求項５記載の熱源装置。
【請求項７】
風呂循環時において、前記第１流路切替弁から、前記風呂往き通路と前記風呂戻り通路とのそれぞれの経路の浴槽までの圧損を算出する圧損取得手段を具備し、
前記制御部は、前記圧損取得手段によって取得された、前記風呂往き通路と前記風呂戻り通路のそれぞれの圧損の差を小さくするように、前記第１流路切替弁の前記中間状態の開度を補正することを特徴とする請求項１から請求項６のいずれかに記載の熱源装置。
【請求項８】
前記圧損取得手段は、前記風呂往き通路と前記風呂戻り通路とに配置された温度センサを用いて、循環開始から液体の温度変化が取得されるまでの時間または流量によって、それぞれの通路長を算出し、通路長と湯量によって圧損を把握することを特徴とする請求項７記載の熱源装置。
【発明の詳細な説明】
【技術分野】
【０００１】
本発明は、効率よく浴槽への湯はりを行うことが可能な熱源装置に関するものである。
【背景技術】
【０００２】
風呂の追い焚きの際に、浴槽内の湯を循環可能とするため、浴槽には、風呂往き通路と風呂戻り通路とが接続される。風呂の追い焚きの際には、風呂戻り配管から風呂内の湯を取り込み、風呂熱交換器によって湯を加熱した後、風呂往き配管で浴槽に所定の温度の湯が循環する（例えば特許文献１）。
【先行技術文献】
【特許文献】
【０００３】
【特許文献１】特開２０１２−５２７５２号公報
【発明の概要】
【発明が解決しようとする課題】
【０００４】
このような熱源装置を用いて、風呂の湯はりを行う場合には、流路切替弁が切り替えられ、給湯熱交換器で加熱された湯が浴槽に供給される。この際、湯はり時間を短縮するため、風呂戻り通路と風呂往き通路の両者を用いて、浴槽へ湯が搬送される。すなわち、給湯熱交換器で加熱された湯は、風呂戻り通路と風呂往き通路の両方を流れて搬送され（以下、両搬送という）、浴槽に供給される。このように二つの通路を同時に使用することで、湯はり時間を短縮することが可能となる。
【０００５】
一方、風呂往き通路には、例えば風呂ポンプや風呂熱交換器等が接続され、風呂戻り通路よりも通路長が長くなる。すなわち、風呂戻り通路に対して、風呂往き通路の流体抵抗が大きくなる。また、風呂ポンプ内にエアが入っていると、このエアを押し出さなければ、風呂往き通路へ湯を流すことが困難となる場合がある。
【０００６】
このように、一方の風呂往き通路への湯の供給が困難となると、湯が風呂戻り通路のみに流れ、風呂戻り通路のみによって浴槽に湯が搬送される（以下、片搬送という）。このような片搬送の状態となると、両搬送によって湯はりを行う場合と比較して、必要な湯量を浴槽に供給するために、より多くの時間を要する。すなわち、湯はり時間が長くなる。
【０００７】
また、通常、浴槽へ湯はりを行う際には、各家庭に供給される元の水圧によって水を給湯熱交換器に流し、給湯熱交換器で加熱された湯が、浴槽へ搬送される。このため、特に水圧の安定しない地域（例えば浄水場から離れた丘の上）や、階上の部屋等において、例えば夕食時等元水圧が低くなると、流体抵抗の高い風呂往き通路へ湯が圧送されにくくなり、片搬送となるおそれがある。
【０００８】
本発明は、前述した観点に鑑みてなされたものであり、湯はり時に、確実に風呂往き通路と風呂戻り通路を利用することが可能な熱源装置を提供することを目的とする。
【課題を解決するための手段】
【０００９】
前述した目的を達するために本発明は、浴槽に接続され、給湯熱交換器から浴槽へ給湯する浴槽給湯通路を具備する熱源装置であって、前記浴槽給湯通路から風呂往き通路と風呂戻り通路への流向を制御可能な第１流路切替弁と、前記風呂往き通路に配置される風呂ポンプと、を具備し、前記第１流路切替弁は、制御部によって、前記浴槽給湯通路と前記風呂往き通路とが流通する全閉状態と、前記浴槽給湯通路と前記風呂戻り通路とが流通する全開状態と、前記全開状態と前記全閉状態の間の中間状態と、を調整可能であり、前記制御部は、前記第１流路切替弁の前記中間状態の開度を調整することで、前記風呂戻り通路への流量と、前記風呂往き通路への流量の比率を調整可能であることを特徴とする熱源装置である。
【００１０】
前記浴槽給湯通路と第２流路切替弁を介して接続され、少なくとも前記給湯熱交換器からのドレンを貯留するドレンタンクを具備し、前記第２流路切替弁を前記ドレンタンク側に切り替えた状態において、前記第１流路切替弁を前記全閉状態とすることで、前記風呂ポンプによって前記ドレンタンク内のドレンを排出可能であり、前記第２流路切替弁を前記浴槽給湯通路側に切り替えた状態において、前記第１流路切替弁を前記中間状態または前記全開状態とすることで、前記浴槽給湯通路からの液体を、前記風呂戻り通路と前記風呂往き通路とに流すことが可能であってもよい。
【００１１】
前記第１流路切替弁は、四方弁であり、前記全閉状態では、前記浴槽給湯通路と前記風呂往き通路が前記第１流路切替弁を介して流通し、前記全開状態では、前記浴槽給湯通路と前記風呂戻り通路が前記第１流路切替弁を介して流通するとともに、前記風呂戻り通路から分岐する短絡通路と前記風呂往き通路とが前記第１流路切替弁を介して流通してもよい。
【００１２】
前記制御部は、前記風呂往き通路を流れる湯量を計測し、湯量が所定以下である場合には、前記第１流路切替弁の開度を補正し、前記風呂往き通路への流量を増加させてもよい。
【００１３】
前記制御部は、浴槽へ送られる湯の総流量を湯量センサで計測し、設定された流量を流すのに要した時間情報を取得し、新たに得られた前記時間情報と、あらかじめ記憶された過去の前記時間情報とを比較して、所定以上時間が長くなった場合には、前記第１流路切替弁の開度を補正し、前記風呂往き通路への流量を増加させてもよい。
【００１４】
前記制御部は、風呂はりの時刻情報を取得し、前記時間情報を前記時刻情報とともに記憶し、新たに得られた前記時間情報と、同一の時刻範囲内における過去の前記時間情報とを比較して、所定以上時間が長くなった場合には、前記第１流路切替弁の開度を補正し、前記風呂往き通路への流量を増加させてもよい。
【００１５】
風呂循環時において、前記第１流路切替弁から、前記風呂往き通路と前記風呂戻り通路とのそれぞれの経路の浴槽までの圧損を算出する圧損取得手段を具備し、前記制御部は、前記圧損取得手段によって取得された、前記風呂往き通路と前記風呂戻り通路のそれぞれの圧損の差を小さくするように、前記第１流路切替弁の前記中間状態の開度を補正してもよい。
【００１６】
前記圧損取得手段は、前記風呂往き通路と前記風呂戻り通路とに配置された温度センサを用いて、循環開始から液体の温度変化が取得されるまでの時間または流量によって、それぞれの通路長を算出し、通路長と湯量によって圧損を把握してもよい。
【００１７】
本発明によれば、第１流路切替弁が、全閉状態と全開状態との間の中間状態において、開度を調整可能であるため、風呂の湯はり時に、風呂往き通路と風呂戻り通路への湯の流量を調整することができる。このため、風呂往き通路へも確実に湯を流すことができ、片搬送となることを抑制することができる。
【００１８】
また、第２流路切替弁によって、ドレンタンクと給湯通路とを切替えることで、ドレン排水を行うことができる。この際、第１流路切替弁を全閉とすることで、風呂ポンプによって、風呂往き通路からドレン排水を行うことができる。
【００１９】
また、第１流路切替弁を四方弁とすることで、ドレン排水や湯はり等を行う場合においても、少ない切替弁によって、所望の流路の切り替えを行うことができる。
【００２０】
また、風呂往き通路への湯量を計測することで、片搬送であることを容易に把握することができる。このため、片搬送となっている場合には、第１流路切替弁の開度を補正して、風呂往き通路への湯量を増加させて両搬送とすることができる。
【００２１】
また、風呂へ送られる総流量を流量計で計測し、設定された流量を流すのに要した時間によって、片搬送であることを把握することもできる。したがって、湯はりの際に所定量の湯量を流すのに要した時間が所定以上である場合には、第１流路切替弁の開度を補正して、風呂往き通路への湯量を増加させて両搬送とすることができる。
【００２２】
この場合には、湯はりの時刻によって、基準とする時間を変えてもよい。例えば、朝、昼間、夕方、夜、深夜などに時刻範囲を区分し、それぞれの時刻範囲毎に、所定量の湯量を流すのに要する基準時間を変更してもよい。このようにすることで、各家庭への水圧変動の影響を考慮して、より適切に、第１流路切替弁の開度を補正して、風呂往き通路への湯量を増加させて両搬送とすることができる。
【００２３】
また、例えば、新たに熱源装置を設置した最初の風呂循環時において、風呂往き通路と風呂戻り通路とのそれぞれの経路の浴槽までの通路長と湯量から圧損を計測し、それぞれの圧損の差を小さくするように、第１流路切替弁の開度を初期設定値から補正することで、より確実に両搬送で湯はりを行うことができる。
【００２４】
この際、風呂往き通路と風呂戻り通路とに配置された温度センサによって、循環開始から液体の温度変化が取得されるまでの時間または流量を計測し、それぞれの通路長を算出すれば、容易に、風呂往き通路と風呂戻り通路の圧損を予測することができる。
【発明の効果】
【００２５】
本発明によれば、湯はり時に、確実に風呂往き通路と風呂戻り通路を利用することが可能な熱源装置を提供することができる。
【図面の簡単な説明】
【００２６】
【図１】熱源装置１を示す構成図。
【図２】熱源装置１を示す構成図。
【図３】熱源装置１を示す構成図。
【図４】（ａ）は、図３の風呂往き通路５ｂ、風呂戻り通路５ｃの拡大図、（ｂ）は、第１流路切替弁７の拡大概念図。
【図５】熱源装置１を示す構成図。
【図６】（ａ）は、図５の風呂往き通路５ｂ、風呂戻り通路５ｃの拡大図、（ｂ）は、第１流路切替弁７の拡大概念図。
【図７】片搬送状態における風呂往き通路５ｂ、風呂戻り通路５ｃの拡大図。
【図８】（ａ）、（ｂ）は、第１流路切替弁７の拡大概念図。
【図９】第１流路切替弁７の補正を行うフローチャート。
【図１０】第１流路切替弁７の補正を行うフローチャート。
【図１１】第１流路切替弁７の補正を行うフローチャート。
【発明を実施するための形態】
【００２７】
以下、図面を参照しながら、本発明の実施形態にかかる熱源装置１について説明する。図１は、熱源装置１の構成を示す図である。熱源装置１は、給湯熱交換器２５と暖房熱交換器２７からなる熱交換器２６を有し、給湯栓や浴槽３などへ湯を供給することができるとともに、暖房を行うことができる。
【００２８】
熱源装置１には、制御部１１が接続される。制御部１１は、浴室や部屋に設置されたコントローラなどの操作によって、熱源装置１の各部の動作を制御可能である。なお、制御部１１は、例えばコンピュータであり、コントローラなどの入力部と、事前に各部の動作や情報が記憶されたメモリなどの記憶部と、各種の演算を行うＣＰＵなどの演算部を具備する。また、制御部１１は、通信制御部によって熱源装置１を構成する各センサや機器等からの情報を有線または無線で取得可能であるとともに、熱源装置１を構成する各機器を動作させることができる。
【００２９】
（給湯）
次に、熱源装置１の構成と、制御部１１による制御動作等について説明する。まず、熱源装置１の給湯時の動作に基づいて、熱源装置１の構成を説明する。熱源装置１には、ガス配管４ａへガスが供給され（図中矢印Ａ）、水配管４ｂへ水が供給されている（図中矢印Ｂ）。
【００３０】
給湯栓を開くと、水配管４ｂに配置された水量センサ２３が水量を検知し、制御部１１によって給湯熱交換器２５の燃焼ファン３３が稼働する。燃焼ファン３３の回転を検知すると、ガス配管４ａに配置された元ガス電磁弁やガス比例弁等が開き、ガス配管４ａから給湯熱交換器２５へガスが供給される。給湯熱交換器２５においては、電磁弁によって、給湯熱交換器２５のバーナへガスが供給される。
【００３１】
この状態において、電磁弁によって暖房熱交換器２７のバーナへのガスの供給は遮断されている。すなわち、各バーナに設けられた電磁弁によって、使用するバーナの位置や本数を制御することができる。なお、熱交換器２６の熱源は、ガス燃焼を行うバーナには限られず、石油燃焼用のバーナを設けてもよいし、電熱ヒータを設けてもよい。
【００３２】
給湯熱交換器２５においては、図示を省略した点火プラグおよびイグナイタ等によって、バーナが着火される。バーナが着火しているかどうかは、図示を省略したフレームロッドによって検出される。なお、ガス比例弁の弁開度によって、対応するバーナへの供給燃料量を調整することができる。
【００３３】
一方、水配管４ｂへ供給された水は、給湯熱交換器２５の通路へ送られる（図中矢印Ｃ）。給湯熱交換器２５へ送られた水は、給湯熱交換器２５においてバーナによって加熱されて、所定の温度に加熱された湯が、給湯通路５ａへ流出する。給湯通路５ａを流れる湯は、適宜に分岐されて給湯栓などから出湯される（図中矢印Ｄ）。
【００３４】
なお、給湯熱交換器２５から流出した湯の湯温は、給湯通路５ａに配置された缶体サーミスタ２ｂによって検知される。湯温が、設定された温度から所定以上離れている場合には、バーナの燃焼本数等が調整される。給湯通路５ａは、バイパスサーボ４３を介して水配管４ｂと接続されており、水と湯の切り替えや混合を行うことができる。また、水配管４ｂとの合流部よりも下流側の給湯通路５ａに配置された出湯サーミスタ２ａで出湯温度が検知される。なお、出湯温度が設定温度から外れた場合には、制御部１１は、水量サーボ４５のギヤードモータを動作して全水量を調整し、出湯温度を修正する。以上により、所望の設定された湯温の湯を出湯することができる。
【００３５】
（暖房）
次に、図２を用いて、暖房時の動作について説明する。暖房時に使用される回路は、暖房戻り通路５ｅ、高温暖房往き通路５ｆ、低温暖房往き通路５ｇ等からなり、暖房ポンプ４１によって、暖房熱交換器２７へ液体を循環させることができる。暖房熱交換器２７においては、前述した給湯熱交換器２５と同様に、バーナによって暖房熱交換器２７を流れる液体を所望の温度に加熱することができる。
【００３６】
なお、暖房熱交換器２７の近傍において、暖房高温サーミスタ２ｃが設けられており、暖房高温サーミスタ２ｃによって、暖房熱交換器２７から流出する液体の温度を検出することができる。また、暖房ポンプ４１の吐出側には、暖房熱交換器２７に導入される液体の温度を検出する暖房低温サーミスタ２ｆが設けられている。
【００３７】
暖房ポンプ４１の吸入口側と暖房熱交換器２７との間には、暖房シスターン３７が設置される。すなわち、暖房戻り通路５ｅから暖房熱交換器２７に導入されて加熱された液体は、暖房シスターン３７を通り、暖房ポンプ４１に導入される。なお、暖房シスターン３７へは、補給水電磁弁３５によって、給湯通路５ａからの湯を補給することができる。
【００３８】
暖房熱交換器２７で加熱された液体は、暖房ポンプ４１の吐出後に分岐し、一部は低温暖房往き通路５ｇから例えば床暖房などの低温暖房機器へ供給される（図中矢印Ｈ）。また、残部は、暖房熱交換器２７に再度導入され、暖房熱交換器２７によってさらに加熱されて高温（例えば８０℃程度）となる。また、高温となった液体は、一部が風呂熱交換器１７に供給されて、後述する風呂循環時の湯の加熱に用いられ、残部が高温暖房往き通路５ｆを介して、例えば、浴室暖房乾燥機など高温暖房機器へ供給される（図中矢印Ｆ）。低温暖房機器および高温暖房機器からは、暖房戻り通路５ｅで液体が戻り、再度暖房熱交換器２７へ循環する。
【００３９】
以上のように、制御部１１は、コントローラによる暖房のＯＮ／ＯＦＦの指示により、上記の各種の制御を行ない、低温暖房機器または高温暖房機器へ所定の温度の液体を循環させて、暖房を行うことができる。なお、熱源装置１には、暖房機能は必ずしも必須ではない。
【００４０】
（ドレン排水）
次に、図３を用いて、ドレン排出時の動作について説明する。前述したように、熱源装置１は、暖房熱交換器２７および給湯熱交換器２５からなる熱交換器２６を具備する。それぞれの熱交換器２６は、燃焼動作が停止した後に、結露を生じる場合がある。熱源装置１が、例えば排水溝を有する屋外に設置される場合には、熱交換器２６において結露したドレンをそのまま排水溝へ排出することができる。
【００４１】
一方、熱源装置１が室内や、排水溝が設けられない部位に設置されると、ドレンをその場で排水することができない。したがって、熱源装置１は、熱交換器２６で生じたドレンをドレンタンク１５に貯留し、所定量のドレンが溜まった際に、浴室の排水溝を用いて、ドレンを排水することができる。
【００４２】
まず、制御部１１は、ドレンタンク１５内の水量を検知し、所定量のドレンが貯まると、第２流路切替弁９を動作させる。図４（ａ）は、第２流路切替弁９以降の流路の拡大図である。ドレンタンク１５からのドレン（図中矢印Ｏ）は、第２流路切替弁９によって、浴槽給湯通路５と接続される。なお、第２流路切替弁９は、例えば３方弁である。
【００４３】
浴槽給湯通路５を流れる液体は、第１流路切替弁７を介して、風呂往き通路５ｂ方向へ流れる（図中矢印Ｉ）。風呂往き通路５ｂ側には、風呂ポンプ１３が設置される。風呂ポンプ１３を稼働することで、ドレンタンク１５のドレンを吸入して、風呂熱交換器１７等を介して浴槽３方向へドレンを送水することができる。なお、ドレン排水時には、風呂熱交換器１７へ、加熱された液体を循環する必要はない。
【００４４】
また、浴槽３の手前には、ドレン排水切替弁４７が配置される。ドレン排水切替弁４７を浴槽側から排水溝側へ切り替えることで、ドレンを浴槽３内ではなく、排水溝に排水することができる（図中矢印Ｊ）。
【００４５】
ドレンタンク１５内のドレンが所定以上排水され、ドレンタンク１５の水位が所定値以下に下がると、制御部１１は、ドレン排水動作を停止する。すなわち、風呂ポンプ１３を停止する。以上により、ドレンを浴室の排水溝等に排出することができる。なお、ドレン排水機能は、必ずしも必須ではない。
【００４６】
ここで、図４（ｂ）は、第１流路切替弁７の拡大概念図である。第１流路切替弁７は、例えば４方弁である。第１流路切替弁７は、浴槽給湯通路５からの湯（湯量Ｑｔｏｔａｌ）を、風呂戻り通路５ｃ方向へ流れる湯（湯量Ｑ１）と風呂往き通路５ｂ側に流れる湯（湯量Ｑ２）とに切り替えることができる。前述したように、ドレン排水を行う際には、第１流路切替弁７へ流れる液体の全てを、風呂往き通路５ｂ側へ流すこととなる。すなわち、供給される流量Ｑｔｏｔａｌを、第１流路切替弁７によって、全て風呂往き通路５ｂ側へ流すため、風呂往き通路５ｂ側へ流れる液体の流量Ｑ往き＝Ｑｔｏｔａｌ＝Ｑ２となる。したがって、Ｑ１＝Ｑ戻り＝０となる。
【００４７】
このように、浴槽給湯通路５からの全ての液体を風呂戻り通路５ｃ側に流さない状態を、第１流路切替弁７の「全閉状態」とする。すなわち、第１流路切替弁７の全閉状態では、浴槽給湯通路５からの湯は、第１流路切替弁７を介して風呂往き通路５ｂのみに流通する。
【００４８】
（配管洗浄）
コントローラがＯＮの状態では、制御部１１は、水位センサ２１によって風呂の水位を検知する。水位がある場合には、常時水位の変動を監視し、浴槽３の湯水が、浴槽排水栓が抜かれて排水状態に至ったかどうかを判断する。浴槽３の循環口以下にまで水位の低下が検出されると、浴槽３の設定温度の湯温の湯を所定量、後述の湯はり動作と同じ動きで、加熱された湯を給湯通路５ａから浴槽給湯通路５側へ流し、第１流路切替弁７を経て、風呂往き通路５ｂ、風呂戻り通路５ｃを用いて浴槽３へ給湯する。
【００４９】
（湯はり及び追い焚き）
次に、図５を用いて、浴槽３への湯はり動作について説明する。コントローラへ自動湯はりの入力があると、まず、制御部１１は、水位センサ２１によって風呂の水位を検知する。水位がある場合には、風呂ポンプ１３を所定時間（例えば１分）運転し、風呂水流スイッチ１９がＯＮするかどうかを検出する。
【００５０】
風呂水流スイッチ１９がＯＦＦのままや、水位が低い場合には、所定量（例えば６Ｌ）の後述する湯はりを行い、再度風呂ポンプを所定時間運転して、風呂水流スイッチ１９がＯＮするかどうかを検出する。風呂水流スイッチ１９がＯＮとなれば、浴槽３に水有りと判断し、ＯＦＦのままの場合には浴槽３に水なしと判断する。浴槽３に水がないと判断すると、引き続き湯はりを行う。浴槽３に水があると判断すると、設定温度となるまで追い焚きを行う。
【００５１】
湯はりを行う場合には、まず、制御部１１は、第２流路切替弁９を、浴槽給湯通路５と給湯通路５ａとが流通するように切り替える。また、前述した給湯動作と同様に、制御部１１は、水配管４ｂから供給された水を給湯熱交換器２５で加熱する。また、制御部１１は、給湯熱交換器２５から取り出した湯が流れる給湯通路５ａと浴槽給湯通路５との間に配置された湯はり電磁弁３１を開く。以上により、加熱された湯を給湯通路５ａから浴槽給湯通路５側へ流すことができる（図中矢印Ｋ）。なお、浴槽給湯通路５へ流れた湯の総量は、湯量センサ２９で計測することができる。
【００５２】
図６（ａ）は、第２流路切替弁９以降の流路の拡大図である。前述したように、給湯通路５ａからの湯（図中矢印Ｋ）は、第２流路切替弁９によって、浴槽給湯通路５へ流れる。浴槽給湯通路５は、風呂往き通路５ｂおよび風呂戻り通路５ｃを介して、浴槽３と接続される。したがって、給湯通路５ａを流れる湯を、浴槽給湯通路５等を介して浴槽３へ給湯することがきる。
【００５３】
図６（ｂ）は、第１流路切替弁７の拡大概念図である。従来、湯はりを行う際には、例えば、浴槽給湯通路５から第１流路切替弁７へ流れる湯の全てＱｔｏｔａｌが、風呂戻り通路５ｃ側へ流される。また、風呂戻り通路５ｃ側へ流れた湯は、短絡通路５ｄにおいて分岐する。すなわち、第１流路切替弁７で分岐した湯量Ｑ１が、そのまま風呂戻り通路５ｃへ流れる湯量Ｑ戻りと、短絡通路５ｄへ分岐した湯量Ｑ３とに分かれる。
【００５４】
この場合、風呂戻り通路５ｃ側へ流れる液体の流量Ｑ戻り＝Ｑ１−Ｑ３であり、風呂往き通路５ｂ側へ流れる液体の流量Ｑ往き＝Ｑ３となる。なお、Ｑ１＝Ｑｔｏｔａｌであり、Ｑ２＝０である。このように、全ての液体を風呂戻り通路５ｃ側に流す状態を、第１流路切替弁７の「全開状態」とする。すなわち、全開状態では、浴槽給湯通路５と風呂戻り通路５ｃが第１流路切替弁７を介して流通するとともに、風呂戻り通路５ｃから分岐する短絡通路５ｄと風呂往き通路５ｂとが第１流路切替弁７を介して流通する。
【００５５】
図６（ａ）に示すように、短絡通路５ｄから風呂往き通路５ｂ側へ流れた湯は（図中矢印Ｉ）、風呂ポンプ１３、風呂熱交換器１７を介して浴槽３へ流れる（図中矢印Ｎ）。一方、風呂戻り通路５ｃ側へ流れた湯は、そのまま浴槽３へ流れる（図中矢印Ｌ）。なお、湯はり時には、風呂ポンプ１３および風呂熱交換器１７は稼働せず、給湯通路５ａ側から、元の水圧によって湯が送られる。
【００５６】
このように、湯はり時においては、第１流路切替弁７を全開状態とすることで、風呂往き通路５ｂと風呂戻り通路５ｃの両方に湯を流すことができる。したがって、両搬送によって湯はりを行うことができる。このため、短時間に湯はりを行うことができる。なお、浴槽３が、設定された水位となると、制御部１１は、湯はり電磁弁３１を閉じ、給湯熱交換器２５のバーナを消火し、湯はりを完了する。
【００５７】
また、追い焚きを行う場合には、制御部１１は、湯はり電磁弁３１を閉じ、風呂ポンプ１３を稼働させる。浴槽３内の湯水は、風呂戻り通路５ｃから風呂ポンプ１３で吸水され、風呂熱交換器１７を介して風呂往き通路５ｂから浴槽３へ循環する。浴槽３へは循環金具を介して風呂往き通路５ｂと風呂戻り通路５ｃが接続されており、風呂ポンプ１３に浴槽３の異物が吸引されないように、循環金具内にはフィルターが設けられ、浴槽３内の湯水は、前記フィルターを介して風呂戻り通路５ｃから風呂ポンプ１３で吸水される。この際、暖房熱交換器２７が稼働し、加熱された液体が、風呂熱交換器１７に送水される。風呂熱交換器１７において、浴槽３から循環する湯と暖房熱交換器２７で加熱された加熱流体との液−液の熱交換が行われ、浴槽３に循環する湯を所定の温度に昇温することができる。
【００５８】
なお、風呂戻り通路５ｃに設けられる風呂戻りサーミスタ２ｅ（温度センサ）によって、浴槽３内の湯温を検出することができ、風呂往き通路５ｂに設けられる風呂往きサーミスタ２ｄ（温度センサ）によって、風呂へ送られる湯温を検出することができる。浴槽３へ送られる湯温が設定温度と所定以上離れている場合には、追い焚き流量制御弁３９によって、風呂熱交換器１７への加熱流体の流量が調整される。浴槽３の湯温が設定温度になると、制御部１１は、風呂ポンプ１３および風呂熱交換器１７（暖房熱交換器２７）の稼働を停止する。
【００５９】
なお、湯はり終了後、コントローラから追い焚きＯＮの指示が入力された場合には、制御部１１は、浴槽３の湯温が設定温度となるまで、前述した追い焚きを行う。また、熱源装置１は、湯はり後の浴槽３の温度を一定に保持する保温モードを有してもよい。この場合、制御部１１は、まず、湯はり後、例えば４時間といった保温動作時間中に、湯を所定時間循環させて、風呂戻りサーミスタ２ｅによって浴槽３内の湯温を検出する。検出された湯の温度が、予め設定される風呂設定温度より所定の許容範囲以上低下したときには、前述した追い焚き動作を例えば３分間行い、浴槽３内の湯温を上昇させる。以上により、保温動作時間中に、浴槽温度を所定温度に保持することができる。
【００６０】
また、追い焚き時には、浴槽３の湯温が設定温度になるまで、暖房熱交換器２７による液体加熱を継続しなくてもよい。例えば、風呂戻りサーミスタ２ｅによる検出温度が、風呂設定温度よりも低い予め定められる追い焚き停止温度となったときに暖房熱交換器２７のバーナ燃焼を停止してもよい。
【００６１】
この場合には、暖房熱交換器２７による液体加熱停止後にも、暖房熱交換器２７への液体の循環と、浴槽３への湯の循環を継続させることにより、暖房シスターン３７が保有するシスターン保有熱量を利用して、暖房熱交換器２７の停止温度から風呂設定温度までの浴槽湯水の加熱を行うことができる。なお、暖房熱交換器２７の停止温度については、各種の条件に応じて適宜設定されるものであり、暖房シスターン３７内の液体の温度、暖房シスターン３７の容量、風呂設定温度、浴槽３の湯量等を考慮して設定すればよい。
【００６２】
（第１流路切替弁７の中間位置制御について）
前述したように、第１流路切替弁７を全開状態として、両搬送によって湯はりを行うことで、効率よく湯はりを行うことができる。しかし、短絡通路５ｄによる分岐のみでは、風呂往き通路５ｂと風呂戻り通路５ｃへ流れるそれぞれの湯量が、必ずしも最適な配分とはならない。例えば、前述したように、風呂往き通路５ｂ側は、風呂ポンプ１３や風呂熱交換器１７などが配置され、全体の配管長も長くなる。このため、風呂往き通路５ｂと風呂戻り通路５ｃとの分岐部から浴槽３までのそれぞれの流体抵抗が異なる。このため、流体抵抗の大きな風呂往き通路５ｂへ、湯が十分に流れないおそれがある。
【００６３】
また、図７は、風呂ポンプ１３へエアが混入した状態を示す概念図である。風呂ポンプ１３へのエアの混入は、浴槽水を抜いた時に、たまたま、例えば風呂往き通路５ｂから空気を吸い込み、風呂往き通路５ｂ内の湯水、風呂ポンプ１３の湯水、風呂戻り通路５ｃの湯水、が順次浴槽３に流れ発生する（通称水崩れ現象）。前述したように、浴槽３への湯はりの際には、湯は、水配管４ｂへの水圧によって浴槽３へ流される。この際、風呂往き通路５ｂの途中でエア溜りが生じると、このエアを押し出すだけの圧力がかからないと、風呂往き通路５ｂへ湯が流れなくなる。すなわち、風呂往き通路５ｂへ湯が流れている状態で、湯を継続して流すのに必要な圧力よりも、最初に、エアを排出して、風呂往き通路５ｂへ湯を流すのに必要な圧力は高くなる。このため、エアの混入がなければ、風呂往き通路５ｂへ湯を流すのに十分な湯の圧力があったとしても、最初に風呂往き通路５ｂへ湯を流すために必要な圧力に対して不足するおそれがある。この場合には、風呂戻り通路５ｃのみに湯が流れて片搬送となる。
【００６４】
これに対し、本発明にかかる熱源装置１では、第１流路切替弁７の制御において、全閉状態と全開状態との間の中間状態での開度調整が可能である。例えば、第１流路切替弁７内の弁体をステッピングモータで制御し、ステッピングモータのステップ数によって、全閉状態／中間状態／全開状態を制御する。また、中間状態においても、弁体の開度を微調整可能とすることで、第１流路切替弁７における流向と流量を調整することができる。
【００６５】
図８（ａ）は、第１流路切替弁７の中間状態の一例を示す概念図である。この場合、供給される流量Ｑｔｏｔａｌが、第１流路切替弁７によって、一部が風呂戻り通路５ｃ側へ流れ（Ｑ１）、残部が風呂往き通路５ｂ側へ流れる（Ｑ２）。風呂戻り通路５ｃ側へ流れた湯は、さらに短絡通路５ｄにおいて分岐し（Ｑ３）、第１流路切替弁７で分岐した湯量Ｑ２と短絡通路５ｄにおいて分岐した湯量Ｑ３が合流して、風呂往き通路５ｂ側に流れる流量Ｑ往きとなる。
【００６６】
この場合、風呂戻り通路５ｃ側へ流れる液体の流量Ｑ戻り＝Ｑ１−Ｑ３であり、風呂往き通路５ｂ側へ流れる液体の流量Ｑ往き＝Ｑ２＋Ｑ３である。なお、Ｑｔｏｔａｌ＝Ｑ１＋Ｑ２である。
【００６７】
また、図８（ｂ）に示すように、図８（ａ）の状態から第１流路切替弁７の弁体の開度を調整することで、第１流路切替弁７の中間状態において、風呂戻り通路５ｃ側へ流れる流量Ｑ１と、風呂往き通路５ｂ側へ流れる流量Ｑ２の比率を調整することができる。すなわち、風呂戻り通路５ｃ側へ流れる液体の流量Ｑ戻りと、風呂往き通路５ｂ側へ流れる液体の流量Ｑ往きの比率を調整することができる。
【００６８】
表１には、Ｑｔｏｔａｌを１００とした際の、第１流路切替弁７の開度による各部への流量の比率の違いの一例を示す。
【００６９】
【表１】
2018189294.tif 000003
【００７０】
前述したように、ドレン排出時には、ドレンを、風呂ポンプ１３によって風呂往き通路５ｂから排水することができる。このため、第１流路切替弁７を全閉状態として、ドレンタンク１５からの水の全量を、風呂往き通路５ｂ側へ流す。すなわち、Ｑ２＝Ｑ往き＝１００となり、Ｑ１＝Ｑ３＝０となる。
【００７１】
一方、従来の湯はり時には、両搬送を行うため、第１流路切替弁７を全開状態とする。この際、風呂往き通路５ｂと風呂戻り通路５ｃの流体抵抗差によって、それぞれに流れる湯の流量が異なる。例えば、表１に示す例では、風呂戻り通路５ｃ側へ６５％の湯が流れ、風呂往き通路５ｂへ３５％の湯が流れる。このため、両搬送であっても、必ずしも最適な比率で両通路に湯が流されているとは言えない。
【００７２】
これに対し、表の「湯量調整湯はり時Ａ」は、図８（ａ）の状態を示し、第１流路切替弁７を中間状態で調整したものである。この状態では、第１流路切替弁７によって、Ｑｔｏｔａｌを、風呂往き通路５ｂ側と風呂戻り通路５ｃ側とに、２０：８０の比率で分岐させる。また、風呂戻り通路５ｃ側へ流れた湯は、短絡通路５ｄと風呂戻り通路５ｃ側に３０：５０で分岐し、短絡通路５ｄに流れた湯は、風呂往き通路５ｂ側に合流する。したがって、この場合には、風呂往き通路５ｂ側および風呂戻り通路５ｃ側に、それぞれ５０％の流量を流すことができる。すなわち、全開状態と比較して、よりバランスよく、風呂往き通路５ｂおよび風呂戻り通路５ｃへ湯を流すことができる。
【００７３】
なお、「湯量調整湯はり時Ａ」は、全開状態と比較して、より大きな圧力で、風呂往き通路５ｂへ湯を流すことが可能である。しかし、前述したように、配管や風呂ポンプ１３内にエアが混入すると、エアを押し出すだけの圧力が余計に必要となり、圧が足りない場合には、この場合でも、片搬送となるおそれがある。
【００７４】
これに対し、表の「湯量調整湯はり時Ｂ」は、図８（ｂ）の状態を示し、「湯量調整湯はり時Ａ」よりも、第１流路切替弁７の弁体を、中間状態においてさらに全閉状態側へ調整したものである。この状態では、風呂往き通路５ｂ側に、６０％の流量を流すことができる。すなわち、全開状態および「湯量調整湯はり時Ａ」と比較して、より大きな圧力で、風呂往き通路５ｂへ湯を流すことができる。この結果、例えば、配管や風呂ポンプ１３内にエアが混入していても、エアを押し出すだけの十分な圧力を確保することができる。このため、確実に両搬送をとすることができる。
【００７５】
なお、風呂往き通路５ｂへ、一度湯が流れ出すと、エアを押し出すだけの余剰の圧力は不要となる。このため、例えば、湯はりの初期において「湯量調整湯はり時Ｂ」の状態に調整し、風呂水流スイッチ１９によって、風呂往き通路５ｂへ湯が流れたことを検知した後に「湯量調整湯はり時Ａ」の状態に調整し、バランスよく両搬送とすることもできる。
【００７６】
（第１流路切替弁７の開度情報の補正１）
両搬送時における各通路への最適な流量バランスは、５０％／５０％であるとは限られず、あらかじめ最短で湯はりが可能な配分となるように、第１流路切替弁７の中間状態の開度が設定される。このような第１流路切替弁７の中間状態における弁体の開度情報（例えばステッピングモータのステップ数）は、制御部１１の記憶部に記憶される。制御部１１は、湯はり時において、開度情報を記憶部から取得して、第１流路切替弁７を設定された開度に調整する。
【００７７】
ここで、最短で湯はりが可能な配分となるような、第１流路切替弁７の中間状態における開度は、実際に設置された熱源装置１の配管長などによっても異なる。すなわち、風呂往き通路５ｂおよび風呂戻り通路５ｃのそれぞれの圧損の差によって、最適な開度情報が存在する。このため、制御部１１は、風呂往き通路５ｂおよび風呂戻り通路５ｃのそれぞれの圧損の差に応じて、最適な配分となるように、第１流路切替弁７の中間状態における開度情報を補正してもよい。
【００７８】
図９は、第１流路切替弁７の中間状態における開度情報を、それぞれの通路の圧損の差に応じて補正するためのフローチャートである。まず、制御部１１は、前述したように、風呂の追い焚き信号を受けると、風呂ポンプ１３を運転し、浴槽３の湯を循環させる（ステップ１０１）。浴槽３から風呂戻り通路５ｃを通じて吸引された湯は、風呂熱交換器１７によって所定の温度に加熱されて、風呂往き通路５ｂを通じて浴槽３に循環する。
【００７９】
次に、制御部１１は、風呂往きサーミスタ２ｄおよび風呂戻りサーミスタ２ｅにおいて、風呂ポンプ１３の運転開始から、温度変化を検出するまでの時間または流量を取得する（ステップ１０２）。例えば、各通路内などに冷めた湯が充填されている状態で、風呂循環を開始すると、風呂ポンプ１３の運転開始から所定時間後に、浴槽３内の湯温を風呂往きサーミスタ２ｄおよび風呂戻りサーミスタ２ｅにおいて検知することができる。
【００８０】
制御部１１は、風呂ポンプ１３の運転開始から温度変化検知までの時間や、温度変化までに流れた流量をタイマやセンサで検知することで、浴槽３から風呂往きサーミスタ２ｄおよび風呂戻りサーミスタ２ｅまでのそれぞれの配管長を算出することができる（ステップ１０３）。すなわち、制御部１１は、第１流路切替弁７から、風呂往き通路５ｂと風呂戻り通路５ｃとのそれぞれの経路の通路長を算出することができる。なお、熱源装置１の内部の配管長などは既知である。このため、制御部１１は、設置場所に応じた変動部分である熱源装置１から浴槽３までの配管長のみ算出できればよい。
【００８１】
次に、制御部１１は、それぞれの配管長（流体抵抗）に基づいて、風呂往き通路５ｂおよび風呂戻り通路５ｃへ、所定の流量の湯を流した際のそれぞれの圧損を算出する（ステップ１０４）。算出された圧損の差が、あらかじめ設定された圧損差よりも大きい場合には、制御部１１は、この圧損差が小さくなるように、開度情報を補正し、記憶部に記憶する（ステップ１０５、１０６）。例えば、より圧損の大きな通路側への流量を減らす方向に、開度情報を補正して記憶部に記憶し、次回からは補正後の開度で第１流路切替弁７の開度が調整される。このようにすることで、風呂往き通路５ｂおよび風呂戻り通路５ｃの圧損が略同等となるように両者への流量を調整することができる。
【００８２】
なお、圧損差と開度補正量は、あらかじめテーブル化されていてもよく、または、圧損差に応じて、補正量を計算で求めてもよい。このような補正により、最短で湯はりが可能な配分となるように、第１流路切替弁７の中間状態における開度を設定することができる。
【００８３】
なお、各通路の圧損を取得する圧損取得手段としては、前述した温度変化までの時間や流量から、第１流路切替弁７から浴槽３までのそれぞれの経路の通路長を算出し、それぞれの通路長から流体抵抗を把握する方法には限られない。例えば、風呂ポンプ１３の同一回転数における消費電力から、配管の流体抵抗を把握してもよい。さらに、循環金具内のフィルターの汚れを、例えば設置後初回のデーターと比較する事で求め、風呂戻り通路５ｃ側のみに発生する流体抵抗の増分を把握してもよい。いずれにしても、配管の圧損を考慮して、第１流路切替弁７の中間状態における開度を補正することで、熱源装置１の設置条件等に対して、より適切に第１流路切替弁７の開度を調整することができる。すなわち、より適切な条件で両搬送による湯はりを行うことができる。
【００８４】
（第１流路切替弁７の開度情報の補正２）
制御部１１は、湯はり時に片搬送となっていると判断した場合に、第１流路切替弁７の中間状態における開度を補正してもよい。図１０は、片搬送時において、第１流路切替弁７の中間状態における開度情報を補正するためのフローチャートである。
【００８５】
まず、制御部１１は、湯はり信号を受けると、あらかじめ記憶部に記憶されている開度情報を取得し、第１流路切替弁７の開度を調整する（ステップ２０１）。例えば、前述した、「湯量調整湯はり時Ａ」となるように、第１流路切替弁７のステッピングモータを所定のステップ数回転させて、設定された開度に第１流路切替弁７の開度を調整する。
【００８６】
次に、制御部１１は、風呂水流スイッチ１９によって、所定の流量の湯が風呂往き通路５ｂへ流れているか検知する（ステップ２０２）。なお、制御部１１は、湯はり開始から、所定の時間経過後に、風呂水流スイッチ１９によって、所定の流量の湯が風呂往き通路５ｂへ流れているか検知してもよい。
【００８７】
風呂往き通路５ｂへの湯量が所定値以下である場合には、制御部１１は、片搬送となっていると判断し、風呂往き通路５ｂへの流量を増加させるように開度情報を補正する（ステップ２０３、２０４）。例えば、前述した、「湯量調整湯はり時Ｂ」となるように、第１流路切替弁７のステッピングモータを所定のステップ数回転させて、第１流路切替弁７の開度を調整する。なお、この際の開度情報は、記憶部に記憶され、次回の湯はり時に使用してもよい。以上により、より確実に両搬送による湯はりを行うことができる。
【００８８】
（第１流路切替弁７の開度情報の補正３）
制御部１１は、実際の湯はり時間から、より最適な開度情報に補正してもよい。図１１は、第１流路切替弁７の中間状態における開度情報をより最適な条件に補正するためのフローチャートである。
【００８９】
まず、制御部１１は、湯はり信号を受けると、あらかじめ記憶部に記憶されている開度情報を取得し、第１流路切替弁７の開度を調整する（ステップ３０１）。例えば、前述した、「湯量調整湯はり時Ａ」となるように、第１流路切替弁７のステッピングモータを所定のステップ数回転させて、設定された開度に第１流路切替弁７の開度を調整する。
【００９０】
次に、制御部１１は、湯量センサ２９によって浴槽３へ流れる湯の総量を計測し、所定の流量が流れるまでの時間情報を取得する。また、この際、湯はりを行っている時刻情報を取得する（ステップ３０２）。なお、時刻情報は、必ずしも必須ではない。また、時刻情報に加え、曜日情報や季節情報などを取得してもよい。
【００９１】
次に、制御部１１は、記憶部に記憶されている、過去の同一時刻範囲内における時間情報と、新たに得られた時間情報とを比較する（ステップ３０３）。なお、時刻範囲とは、例えば、朝（６：００〜１０：００）、昼（１０：００〜１７：００）、夜（１７：００〜２４：００）、深夜（０：００〜６：００）など、近所の家庭において水を使う量の多少などによって区分される。すなわち、水の元圧の変動によって区分される。時刻情報を得る場合には、それぞれの時刻範囲毎に、時間情報が紐づけられる。また、得られた時間情報は、時刻範囲毎に記憶部に記憶される。
【００９２】
制御部１１は、過去の時間情報（または基準時間情報）に対して、今回の時間情報が所定以上長いと判断すると、流量の分配が不適切、または片搬送となっていると判断し、風呂往き通路５ｂへの流量を増加させるように開度情報を補正する（ステップ３０４、３０５）。例えば、前述した、「湯量調整湯はり時Ｂ」となるように、開度情報を補正する。なお、この際の開度情報は、記憶部に記憶され、次回の湯はり時に使用される。以上により、より最適な条件で湯はりを行うことができる。
【００９３】
また、最大流量となるように、第１流量切替弁７の開度を設定する方法としては、前述したような予測や計算による方法ではなく、流量を実際に検知しながら、最大流量となるように第１流量切替弁７の開度を設定してもよい。この場合には、まず、制御部１１は、第１流量切替弁７を、一度全開方向に動かす。次に、開度を徐々に変更しながら、湯量センサ２９で注湯量を把握する。この際、開度の変化に伴い、注湯量が変化するが、注湯量は一度ピーク（最大流量）がでてから減少する。このようにすることで、注湯量が最大となる開度を把握することができる。このため、制御部１１は、実測で把握した最大流量で注湯することができる。これにより、毎回異なるフィルターの汚れに対応した第１流量切替弁７の最適な開度で、最速で注湯することができる。
【００９４】
（水崩れ防止）
ところで、前述したような水崩れ現象が発生すると、自動湯はり等に際して風呂ポンプ１３内にあるエアを浴槽３に押し出そうとする時に大きな音が生じる。特に、深夜帰宅して入浴する為に浴槽３に湯を張ろうとすると近所迷惑となる。例えば前述したように、配管洗浄時には、従来の湯はり時と同じように両搬送を行うため、第１流路切替弁７を全開状態とすると、風呂往き通路５ｂと風呂戻り通路５ｃとの分岐部から浴槽３までのそれぞれの流体抵抗が異なり、これにより、流体抵抗の大きな風呂往き通路５ｂへ、湯が十分に流れず片搬送となる場合がある。
【００９５】
片搬送状態で配管洗浄を行うと、配管洗浄終了直前には風呂往き通路５ｂには湯水の流れがなく、風呂戻り通路５ｃには浴槽３に流れ込む湯水の流れがある。この状態で湯はり電磁弁３１を閉じると、風呂戻り通路５ｃには浴槽３に流れ込む湯水の流れは慣性力を持っているので、風呂ポンプ１３側が減圧する。すなわち、湯はり電磁弁３１が閉じられても、風呂戻り通路５ｃから浴槽３に流れ込む湯水の流れは止まらずに、風呂ポンプ１３内にある湯水を吸引して流れ続ける場合がある。この結果、大気開放となっている浴槽循環金具の風呂往き通路５ｂ側から空気を吸い込み、風呂ポンプ１３、風呂戻り通路５ｃ内の湯水が空気置換される場合がある。この空気置換は片搬送状態のみで発生するのではなく、両搬送であっても、風呂往き通路５ｂと風呂戻り通路５ｃが流れる流量差があれば発生する可能性がある。
【００９６】
そこで、第１流路切替弁７を湯はり時と同じように開度を調整して、風呂往き通路５ｂと風呂戻り通路５ｃが流れる流量差を無くし、又は少なくして水崩れ現象を防止するようにしても良い。
【００９７】
なお、本願実施例では給湯暖房機を用いて説明したが、風呂給湯器であってもかまわない。また、浴槽給湯通路５の接続位置を、浴槽３と風呂ポンプ１３間に設けたが、例えば浴槽３と風呂熱交換器１７であってもかまわない。この場合には圧損の大小が風呂往き通路５ｂと風呂戻り通路５ｃで入れ替わることとなる。浴槽給湯通路５の接続位置が風呂熱交換器１７と風呂ポンプ１３間に設けても良い。
【００９８】
以上、本実施形態によれば、第１流路切替弁７が中間状態で開度調整可能であるため、湯はり時、又は配管洗浄時に、風呂往き通路５ｂと風呂戻り通路５ｃの両方を効率よく利用して湯はり、又は洗浄水の注湯を行うことができる。このため、片搬送となることを抑制し、確実に両搬送で湯はりを行い、湯はりを短時間で行うこと、又は水崩れ現象の防止を行うことができる。
【００９９】
また、第１流路切替弁７によって、熱交換器２６で結露したドレンを、浴槽３近傍の排水溝へ排水することもできる。
【０１００】
また、第１流路切替弁７を四方弁とすることで、前述したような、浴槽給湯通路５、風呂往き通路５ｂ、風呂戻り通路５ｃ、短絡通路５ｄのそれぞれの流路を切り替えることができる。
【０１０１】
また、湯はり時に、風呂往き通路５ｂへ流れる流量を計測して、流量が少ない場合に、風呂往き通路５ｂへ流れる流量を増やすように第１流路切替弁７の開度を調整することで、片搬送となることを防止し、より適切な条件で湯を、風呂往き通路５ｂと風呂戻り通路５ｃへ流すことができる。
【０１０２】
また、湯はり時に、浴槽３へ送られる総流量を湯量センサ２９で計測し、設定された流量を流すのに要した時間情報と、あらかじめ記憶された過去の時間情報とを比較することで、例えば、片搬送となっていることを把握することができる。このため、このような場合に、第１流路切替弁７の開度を補正し、風呂往き通路５ｂへの流量を増加させることで、片搬送となることを防止し、より適切な条件で湯を、風呂往き通路５ｂと風呂戻り通路５ｃへ流すことができる。
【０１０３】
この際、取得した時間情報と記憶された過去の時間情報を、同一の時刻範囲で比較することで、時刻による元水圧の変動の影響を考慮して、より適切な条件で湯を、風呂往き通路５ｂと風呂戻り通路５ｃへ流すことができる。
【０１０４】
また、例えば、熱源装置１を設置し、最初の風呂循環の試運転時において、風呂往き通路５ｂと風呂戻り通路５ｃとのそれぞれの経路の浴槽３までの圧損を算出し、各通路の圧損の差を小さくするように、第１流路切替弁７の開度を補正することで、設置条件に応じてより適切な条件で湯を、風呂往き通路５ｂと風呂戻り通路５ｃへ流すことができる。
【０１０５】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【０１０６】
１………熱源装置
２ａ………出湯サーミスタ
２ｂ………缶体サーミスタ
２ｃ………暖房高温サーミスタ
２ｄ………風呂往きサーミスタ
２ｅ………風呂戻りサーミスタ
２ｆ………暖房低温サーミスタ
３………浴槽
４ａ………ガス配管
４ｂ………水配管
５………浴槽給湯通路
５ａ………給湯通路
５ｂ………風呂往き通路
５ｃ………風呂戻り通路
５ｄ………短絡通路
５ｅ………暖房戻り通路
５ｆ………高温暖房往き通路
５ｇ………低温暖房往き通路
７………第１流路切替弁
９………第２流路切替弁
１１………制御部
１３………風呂ポンプ
１５………ドレンタンク
１７………風呂熱交換器
１９………風呂水流スイッチ
２１………水位センサ
２３………水量センサ
２５………給湯熱交換器
２６………熱交換器
２７………暖房熱交換器
２９………湯量センサ
３１………湯はり電磁弁
３３………燃焼ファン
３５………補給水電磁弁
３７………暖房シスターン
３９………追い焚き流量制御弁
４１………暖房ポンプ
４３………バイパスサーボ
４５………水量サーボ
４７………ドレン排水切替弁
【図１】
2018189294.tif 000004
【図２】
2018189294.tif 000005
【図３】
2018189294.tif 000006
【図４】
2018189294.tif 000007
【図５】
2018189294.tif 000008
【図６】
2018189294.tif 000009
【図７】
2018189294.tif 000010
【図８】
2018189294.tif 000011
【図９】
2018189294.tif 000012
【図１０】
2018189294.tif 000013
【図１１】
2018189294.tif 000014